(57)【要約】【課題】ラックの配置構成により、効率的な冷却効果が期待可能なラックキャッピング装置を提供する。【解決手段】熱を発生する機器を収納する３つ以上のラック（例えばサーバラック）を対向し、かつラック正面又は背面同士により空間を構成されるように配置し、当該ラック内の機器を冷却するための空調装置の冷気をフリーアクセス床下側から空間に供給し、当該冷気がラック外に排気されるように構成した。【選択図】図１
2014127024.tif 000002
【特許請求の範囲】
【請求項１】
３つ以上のラックを有するデータセンターの空調設備であって、３つ以上のラック同士を、当該ラックの正面又は背面同士が内側に向くようにサークル状に配置し、かつ当該ラックの正面又は背面側の内側に閉じられる独立した空間を構成し、当該空間に空調装置の機器冷却用空気（冷気）を床下側又はラック外側から吸気し、当該冷気がラック内を通してラック外側又は床下側に排出されるようにすることを特徴とするラックキャッピング装置。
【発明の詳細な説明】
【技術分野】
【０００１】
本発明は、空調環境にあるＩＴ機器、例えば複数のサーバを内蔵するサーバラック同士でホットアイル又はコールドアイルの空間を構成するラックキャッピング装置に関する。
【背景技術】
【０００２】
従来、サーバラック列間のホットアイル又はコールドアイルをキャッピングし、空調環境におけるサーバルームの冷却効率を上げるシステムが提案されている。
例えば、本技術分野の背景技術として、特開２００５−２６０１４８号公報（特許文献１）および特開２０１０−１２２７４７号公報などがある。
【０００３】
特許文献１には、「通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持する遮蔽板とを備え、該遮蔽板は、前記両側の固定具の少なくともいずれか一方側で固定されることを特徴とする回り込み防止装置。」が記載されている（請求項１参照）。
【０００４】
また、特許文献２には、「複数のラックからなるラック列を対向配置し、該ラック列間に形成されるラック間通路に、天井部と入口扉部と該入口扉部対向する位置に設置された背面部を設けて形成されたラック間通路遮蔽構造。」が記載されている（請求項１参照）。
【先行技術文献】
【特許文献】
【０００５】
特開２００５−２６０１４８号公報
特開２０１０−１２２７４７号公報
【発明の開示】
【発明が解決しようとする課題】
【０００６】
前記特許文献１には、電算機室用空調システムにおいて、電算機等の機器を十分に冷却することができるとともに省エネルギーにも貢献する回り込み防止装置が記載されている。また、前記特許文献２には、サーバルーム・データセンターにおいて、サーバ自体の省電力化と共に、空調効率を改善できるラック間通路遮蔽構造が記載されている。
【０００７】
しかし、これらの装置や構造は、空調システムやサーバルーム・データセンターの遮蔽板や天井パネル（密閉部材）を支持する固定具やレール部材などキャッピング用の各種部材が必要であり、またこれらの部材を、ラックの上面や側面に取り付ける必要があり、その構築に時間を要すると共に構造が複雑となる課題があった。
【０００８】
そこで、本発明は、係る課題に鑑み、特別な固定具やレール部材などのキャッピング部材を必要とすることなく、ラックの配置構成により、省エネで効率的な冷却効果が期待可能なラックキャッピング装置を提供する。
【課題を解決するための手段】
【０００９】
上記課題を解決するために、本発明は、熱を発生する機器を収納する３つ以上のラック（例えばサーバラック）同士をサークル状にかつラック同士間で囲まれる独立した空間が構成されるように配置し、当該空間に各ラック内の機器を冷却するための空調装置の冷気を床下側又はラック外側から供給し、当該冷気がラック内を通してラック外又は床下側に排気されるように構成したことを特徴とするものである。
【００１０】
例えば、本発明のラックキャッピング装置は、３つ以上のラックを有するデータセンターの空調設備であって、３つ以上のラック同士を、当該ラックの正面又は背面同士が内側に向くようにサークル状に配置し、かつ当該ラックの正面又は背面側の内側に塞がれる独立した空間を構成し、当該空間に空調装置の機器冷却用空気（冷気）を床下側又はラック外側から吸気し、当該冷気がラック内を通してラック外側又は床下側に排出されるような構成とすることを特徴とする。
【発明の効果】
【００１１】
本発明によれば、ラック同士をもって塞がれる独立した空間（コールドアイル又はホットアイル）を構成するようにラックの正面同士が内側または、外側に向くようにサークル状に配置し、当該空間に例えば床下側から冷気を供給し、ラック内のＩＴ機器を通して外に排出構成としているため、ラック自身でキャッピングを行う。特別なキャッピング部材を用意する必要がなく、部材の低減効果を期待できる。
【図面の簡単な説明】
【００１２】
【図１】本発明の第１の実施例を示すラックキャッピング装置の上面図である。
【図２】本発明のラックキャッピング装置をフリーアクセス床上に配置したときの要部断面図である。
【図３】本発明の第２の実施例を示すラックキャッピング装置の上面図である。
【図４】本発明の第３の実施例を示すラックキャッピング装置の上面図である。
【発明を実施するための形態】
【００１３】
以下、実施例について図面を用いて説明する。
本実施例では、データセンターでの空調室の冷却効率向上を図るために、３つ以上のラック（例えば１９インチのサーバラック）同士をもってキャッピング空間を構成し、当該空間を、冷却装置（空調機）をもって空調する例について説明する。
【実施例１】
【００１４】
図１、図２は、本実施例の一実施例のラックキャッピング装置の構成図である。
４つのサーバラック１１０、１２０、１３０、１４０は、サークル状に配置する。
【００１５】
即ち、各４つのサーバラック１１０、１２０、１３０、１４０の正面１１１、１２１、１３１、１４１同士が内側に向くようにサークル状に配置し、かつ当該正面同士をもって内側に独立した空間（コールドアイル）１８０が構成されるように配置する。空間１８０は、四角形に構成される。
【００１６】
換言すれば、４つのラックのみをもって取り囲まれ、塞がれる独立した四角柱状の空間１８０を構成する。
【００１７】
本実施例では、４つのサーバラックの正面同士をもって塞がれる独立した空間を構成するようにしているが、これはサーバラックの背面同士が内側に向くように配置して空間（ホットアイル）１８０を構成しても良い。
【００１８】
フリーアクセス床１７０は、複数の架台１７１を有する。フリーアクセス床１７０の架台１７１（空間１８０に対向する位置）には、空調機からのサーバラック冷却用冷気（冷気）をサーバラック間の空間１８０に供給可能とする複数の貫通孔１７１１を有する。
【００１９】
空調機（図示省略）の冷気は、フリーアクセス床１７０の床下側からサーバラック同士で塞がれた独立した空間に供給され、自然対流の力により、矢印で示す如く、サーバラック１１０、１２０、１３０、１４０の正面１１１、１２１、１３１、１４１側（空間１５０）から背面側（ラック外側）に向けて流れ、サーバなどのＩＴ機器を冷却して排出される。
【実施例２】
【００２０】
図３は、本発明の第２の実施例のキャッピングラック装置の上面図である。
本実施例では、３つのサーバラック同士をもって塞がれる独立した空間を構成したものである。この場合には、空間１５０は、三角柱状に構成される。第１実施例と同一部分には同一符号を付して説明を省略する。
【実施例３】
【００２１】
図４は、本発明の第３の実施例のキャッピングラック装置の上面図である。
本実施例では、６つのサーバラック同士をもって塞がれる独立した空間を構成したものである。この場合には、空間１８０は、六角形に構成される。第１実施例と同一部分には同一符号を付して説明を省略する。サーバラック１５０、１６０は、それぞれ正面１５１、１６１及び背面１５２、１６２を有する。
【００２２】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２３】
１１０、１２０、１３０、１４０、１５０、１６０  サーバラック
１７０  フリーアクセス床
１７１１  貫通孔
１８０  空間
【図１】
2014127024.tif 000003
【図２】
2014127024.tif 000004
【図３】
2014127024.tif 000005
【図４】
2014127024.tif 000006